(57)【要約】【課題】選択範囲を順に狭めていく手順を踏むことなく、複数の照明器具から特定の照明器具を選択できるようにすることを目的とする。【解決手段】照明コントローラ１００は照明器具３００を１つずつ他の照明器具３００と異なる点灯の仕方で点灯させる。例えば、点滅させ、また例えば、他の照明器具３００と異なる明るさで点灯させる。これにより、オペレータは１つの照明器具３００を認識し、認識した照明器具３００から特定の照明器具３００を選択することができる。リモートコントローラ２００は、オペレータが選択した照明器具３００に対して指定したグループ番号などの情報を入力し、照明コントローラ１００に送信する。照明コントローラ１００は、オペレータ指定の情報を記憶し、オペレータが選択した照明器具３００をオペレータ指定の情報に基づいて制御することができる。【選択図】図１
2007287682.tif 000002
【特許請求の範囲】
【請求項１】
電気機器を個別に識別する個別情報を複数記憶する記憶機器から１つの個別情報を取得する個別情報取得部と、
前記個別情報取得部が取得した個別情報で識別される電気機器に他の電気機器と異なる動作をさせることにより電気機器をオペレータに報知する機器報知部と、
前記機器報知部が報知した電気機器に対するオペレータ指定の付加情報を入力機器から入力する付加情報入力部と、
前記付加情報入力部が入力した付加情報を個別情報に対応付けて記憶機器に記憶することで電気機器に対して付加情報を設定する付加情報設定部と
を備えたことを特徴とする機器管理装置。
【請求項２】
前記電気機器は、照明器具であり、
前記機器報知部は照明器具に装着された放電灯を点滅させることを特徴とする請求項１記載の機器管理装置。
【請求項３】
前記電気機器は、照明器具であり、
前記機器報知部は照明器具に装着された放電灯を他の照明器具に接続された放電灯とは異なる明るさで点灯させることを特徴とする請求項１記載の機器管理装置。
【請求項４】
前記機器報知部は電気機器が有する表示ランプを点滅させることを特徴とする請求項１記載の機器管理装置。
【請求項５】
前記付加情報入力部はグループ情報を付加情報として入力し、
前記付加情報設定部はグループ情報を個別情報に対応付けて記憶する
ことを特徴とする請求項１〜請求項４いずれかに記載の機器管理装置。
【請求項６】
複数の電気機器のうちの１つの電気機器に他の電気機器と異なる動作をさせる動作要求を通信機を用いて送信する動作要求送信部と、
電気機器に対するオペレータ指定の付加情報を入力機器から入力し記憶機器に記憶する付加情報記憶部と、
記憶機器に記憶された付加情報を取得し電気機器に対して付加情報を設定させる設定要求を通信機を用いて送信する設定要求送信部と
を備えたことを特徴とする機器設定器。
【請求項７】
複数の電気機器を１つのグループとして識別するグループ情報を入力機器から入力するグループ情報入力部と、
電気機器を個別に識別する個別情報を要求する個別情報要求を電気機器を管理する機器管理装置に通信機を用いて送信する個別情報要求送信部と、
機器管理装置から複数の個別情報を通信機を用いて受信し記憶機器に記憶する個別情報受信部と、
記憶機器に記憶された複数の個別情報から個別情報を１つずつ選択する個別情報選択部と、
前記個別情報選択部が選択した個別情報を通信機を用いて１つずつ送信して送信した個別情報で識別される電気機器に他の電気機器とは異なる動作をさせる動作要求送信部と、
他の電気機器とは異なる動作をさせた電気機器をグループとして管理させるオペレータ要求を入力機器から入力する設定要求入力部と、
前記グループ設定入力部がオペレータ要求を入力した場合に他の電気機器とは異なる動作をさせた当該電気機器を識別する個別情報をグループ情報に対応付けて記憶機器に記憶するグループ情報記憶部と、
記憶機器に記憶されたグループ情報とグループ情報に対応付けて記憶機器に記憶された各識別情報とを機器管理装置に通信機を用いて送信し送信した各識別情報で識別される各電気機器をグループとして機器管理装置に管理させる設定要求送信部と
を備えたことを特徴とする機器設定器。
【請求項８】
スイッチを個別に識別する個別情報を複数記憶する記憶機器からオペレータに押下されたスイッチを識別する個別情報を取得する個別情報取得部と、
スイッチに対してオペレータに指定されたグループ情報とシーン情報と調光情報との少なくともいずれかの付加情報を入力機器から入力する付加情報入力部と、
前記付加情報入力部が入力した付加情報を個別情報に対応付けて記憶機器に記憶することでスイッチの設定を行う付加情報設定部と
を備えたことを特徴とする機器管理装置。
【請求項９】
複数の照明器具と、
請求項１〜請求項５、請求項８のいずれかに記載の機器管理装置とを備えることを特徴とする照明制御システム。
【請求項１０】
請求項９に記載の照明制御システムに、
少なくとも壁スイッチ、人感センサ、または照度センサのいずれかを備え、
壁スイッチ、人感センサ、または照度センサの情報に基づいて、前記照明制御システムの照明器具の明るさを制御することを特徴とする照明制御システム。
【請求項１１】
請求項１〜請求項５、請求項８のいずれかに記載の複数の機器管理装置と、
前記複数の機器管理装置を制御する制御管理装置と
を有する制御システムであり、
前記制御管理装置は、
前記複数の機器管理装置と通信機器により通信する通信部と、
前記複数の機器管理装置のうちいずれかの機器管理装置を制御する制御命令を生成し、生成した制御命令を前記通信機器を介して当該機器管理装置に送信する制御部と
を備えたことを特徴とする制御システム。
【発明の詳細な説明】
【技術分野】
【０００１】
本発明は、例えば、照明器具を制御する機器管理装置、機器設定器、照明制御システムおよび制御システムに関するものである。
【背景技術】
【０００２】
従来、複数の照明器具のアドレスを選択する際に選択範囲を順に狭めていく器具限定方法、また、器具１台を特定するために１つのボタンで順に選択する方法があった。
【特許文献１】特開２００１−３１３１８３号公報
【発明の開示】
【発明が解決しようとする課題】
【０００３】
上記の選択範囲を順に狭めていく選択方法、また、１台を特定する方法では、複数の器具を同一グループに設定することが非効率であった。
【０００４】
本発明は、例えば、選択範囲を順に狭めていく手順を踏むことなく、複数の照明器具から特定の照明器具を選択できるようにすることを目的とする。
【課題を解決するための手段】
【０００５】
本発明の機器管理装置は、電気機器を個別に識別する個別情報を複数記憶する記憶機器から１つの個別情報を取得する個別情報取得部と、前記個別情報取得部が取得した個別情報で識別される電気機器に他の電気機器と異なる動作をさせることにより電気機器をオペレータに報知する機器報知部と、前記機器報知部が報知した電気機器に対するオペレータ指定の付加情報を入力機器から入力する付加情報入力部と、前記付加情報入力部が入力した付加情報を個別情報に対応付けて記憶機器に記憶することで電気機器に対して付加情報を設定する付加情報設定部とを備えたことを特徴とする。
【発明の効果】
【０００６】
本発明によれば、オペレータは機器報知部が報知した電気機器に対して付加情報を設定するため、例えば、選択範囲を順に狭めていく手順を踏むことなく、複数の照明器具から特定の照明器具を選択できる。
【発明を実施するための最良の形態】
【０００７】
実施の形態１．
図１は、実施の形態１における機器管理システム１０１のシステム構成図である。
実施の形態１における機器管理システム１０１は機器コントローラ１００、リモートコントローラ２００、照明器具３００、人感センサ４００、照度センサ４１０および壁スイッチ４２０を有する。
機器コントローラ１００（機器管理装置）は任意に配置された照明器具３００、人感センサ４００、照度センサ４１０、壁スイッチ４２０などの電気機器に対してオペレータ指定の付加情報（例えば、グループ番号［グループ情報］）を設定し、付加情報に基づいて電気機器を制御管理する。
リモートコントローラ２００（機器設定器）はオペレータ指定に基づいて電気機器に対する付加情報の設定や電気機器の制御管理を機器コントローラ１００に要求する。
照明器具３００はインバータ回路（制御回路）を用いて放電灯を点灯し、人感センサ４００は赤外線量の変化や温度変化などに基づいて人の有無を検知し、照度センサ４１０は光量に基づいて室内の照度を測定する。
また、人感センサ４００、照度センサ４１０は起動中、停止中、障害発生などを点灯して報知するＬＥＤ（表示ランプ）を有する。
リモートコントローラ２００が機器コントローラ１００に付加情報の設定を要求し、機器コントローラ１００が制御管理の対象とする電気機器は、例えば、照明器具３００、人感センサ４００、照度センサ４１０および壁スイッチ４２０である。
【０００８】
照明器具３００、人感センサ４００、照度センサ４１０、壁スイッチ４２０などの電気機器は、ＭＡＣ（Ｍｅｄｉａ  Ａｃｃｅｓｓ  Ｃｏｎｔｒｏｌ）アドレスなど、電気機器の一つ一つを個別に識別する個別情報が生産時に設定され、業者により個別情報の大小などに関係なく任意に配置される。また、電気機器を使用するオペレータはこの個別情報を自由に設定することはできない。つまり、オペレータは配置済みである各電気機器について個別情報がわからないため、各電気機器をグループ単位に制御するようなことはできない。
【０００９】
そこで、実施の形態１における機器コントローラ１００やリモートコントローラ２００は任意に配置された各電気機器をグループ単位に制御できるように機能する。
【００１０】
図２は、実施の形態１における機器管理システム１０１の機器管理方法を示すフローチャートである。
実施の形態１における機器コントローラ１００とリモートコントローラ２００とが実行する機器管理処理について、図２に基づいて以下に説明する。
【００１１】
＜Ｓ１０１：個別情報取得処理・機器報知処理＞
機器コントローラ１００は１台の電気機器を制御して他の電気機器とは異なる動作をさせる。
例えば、機器コントローラ１００は、複数の照明器具３００が設置され各照明器具３００が点灯している場所において、放電灯の点滅または明るさの変更（調光率の上昇または調光率の下降）を指示する信号を１台の照明器具３００に出力する。機器コントローラ１００が信号を出力することにより照明器具３００は点滅しまたは他の照明器具３００と異なる明るさで点灯する。
これにより、本システムを利用するオペレータは機器コントローラ１００が他の電気機器と異なる動作をさせた１台の電気機器を認識することができる。つまり、機器コントローラ１００はオペレータに１台の電気機器を報知することができる。
＜Ｓ１０２：付加情報入力処理＞
リモートコントローラ２００はオペレータが指定した付加情報を入力する。
例えば、各部屋、パーティションで仕切られた各区画、日差しが差し込む明るい場所と日差しが差し込まない暗い場所に分けて照明を管理したいなど、照明器具３００をグループ単位で制御管理したい場合、オペレータはグループ番号を付加情報として指定する。このとき、オペレータはＳ１０１で認識した１台の照明器具３００に設定したいグループ番号をリモートコントローラ２００から入力する。そして、リモートコントローラ２００は入力されたグループ番号を付加情報とする。
＜Ｓ１０３：付加情報設定処理＞
機器コントローラ１００は他の電気機器とは異なる動作をさせた電気機器に対してオペレータ指定の付加情報を設定する。
例えば、Ｓ１０１において機器コントローラ１００が１台の照明器具３００に他の照明器具３００と異なる点灯をさせ、Ｓ１０２においてリモートコントローラ２００がオペレータ指定のグループ番号を入力した場合、リモートコントローラ２００はＳ１０２で入力したグループ番号を機器コントローラ１００に送信し、機器コントローラ１００はＳ１０１で他の照明器具３００とは異なる点灯をさせた照明器具３００の個別情報（例えば、ＭＡＣアドレス）とグループ番号とを対応付けて記憶する。
＜Ｓ１０４：機器制御処理＞
機器コントローラ１００は付加情報に基づいて各電気機器を制御管理する。
このとき、上記Ｓ１０１〜Ｓ１０３の処理が各電気機器に対して行われているものとする。
例えば、オペレータは、あるグループの照明器具３００に対して明るさを変更したい場合に、リモートコントローラ２００や壁スイッチ４２０を操作して明るさの変更量と明るさを変更したいグループのグループ番号とを入力する。機器コントローラ１００は、リモートコントローラ２００や壁スイッチ４２０からオペレータ指定の明るさの変更量とグループ番号とを取得し、取得したグループ番号に対応付けてＳ１０３で記憶した各照明器具３００の個別情報を取得し、取得した各個別情報で識別される当該グループの各照明器具３００に対して明るさの変更量を指示する信号を出力する。機器コントローラ１００が信号を出力することによりオペレータが指定したグループに属する各照明器具３００のみが明るさを変更する。
【００１２】
上記処理により、オペレータ、機器コントローラ１００は各電気機器を個別に、または、グループ単位に制御することができる。
【００１３】
図３は、実施の形態１における機器コントローラ１００、リモートコントローラ２００のハードウェアを示す図である。
図３において、機器コントローラ１００、リモートコントローラ２００は、プログラムを実行するＣＰＵ９１１（中央処理装置）を備えている。ＣＰＵ９１１は、バス９１２を介してディスプレイ９０１、入力ボタン９０２、ＲＯＭ９１３、ＲＡＭ９１４、通信機９１５、磁気ディスク装置９２０と接続され、これらのハードウェアデバイスを制御する。
ＲＡＭ９１４は、揮発性メモリの一例である。ＲＯＭ９１３、磁気ディスク装置９２０の記憶媒体は、不揮発性メモリの一例である。これらは、記憶機器、記憶装置あるいは記憶部の一例である。以下、記憶機器とする。
通信機９１５、入力ボタン９０２、記憶機器は、入力機器、入力装置あるいは入力部の一例である。
通信機９１５、ディスプレイ９０１、記憶機器は、出力機器、出力装置あるいは出力部の一例である。
【００１４】
通信機９１５は機器コントローラ１００、リモートコントローラ２００、照明器具３００、人感センサ４００、照度センサ４１０、壁スイッチ４２０の間で有線または無線で通信を行う。
磁気ディスク装置９２０には、ＯＳ９２１（オペレーティングシステム）、プログラム群９２３、ファイル群９２４が記憶されている。プログラム群９２３のプログラムは、ＣＰＵ９１１、ＯＳ９２１により実行される。
【００１５】
図４は、実施の形態１における機器コントローラ１００の機能構成図である。
実施の形態１における機器コントローラ１００（機器管理装置）は個別情報取得部１１０、機器操作部１２０、付加情報設定部１３０および機器コントローラ記憶機器１９０を備える。
【００１６】
機器コントローラ記憶機器１９０は照明器具３００、人感センサ４００、照度センサ４１０および壁スイッチ４２０のアドレス（識別情報）、グループ番号（付加情報）、制御情報などを記憶する。制御情報は、例えば、照明器具３００の点灯、消灯、明るさの変更や人感センサ４００、照度センサ４１０の起動、停止、照度センサ４１０が有するＬＥＤランプの点灯、消灯などを示す。
【００１７】
個別情報取得部１１０は、照明器具３００、人感センサ４００、照度センサ４１０および壁スイッチ４２０を個別に識別するアドレス（例えば、ＭＡＣアドレス）を複数記憶する機器コントローラ記憶機器１９０から、１つのアドレスを選択し取得する。
機器コントローラ記憶機器１９０には、照明器具３００、人感センサ４００、照度センサ４１０、壁スイッチ４２０から取得したアドレスが記憶されている。
機器操作部１２０は、個別情報取得部１１０が取得したアドレスで識別される１台の電気機器に他の電気機器と異なる動作をさせることにより１台の電気機器をオペレータに報知する。また、機器操作部１２０は機器コントローラ記憶機器１９０に記憶されたグループ番号と制御情報とに基づいて照明器具３００、人感センサ４００、照度センサ４１０および壁スイッチ４２０を制御する。
付加情報設定部１３０（付加情報入力部）は、機器操作部１２０が報知した電気機器に対するオペレータ指定のグループ番号をリモートコントローラ２００から受信する。また、受信したグループ番号をアドレスに対応付けて機器コントローラ記憶機器１９０に記憶することで各電気機器に対してグループ番号を設定する。
【００１８】
図５は、実施の形態１におけるリモートコントローラ２００の機能構成図である。
実施の形態１におけるリモートコントローラ２００（機器設定器）は情報入力部２１０、情報出力部２２０、個別情報選択部２３０およびリモートコントローラ記憶機器２９０を備える。
【００１９】
リモートコントローラ記憶機器２９０はグループ番号、電気機器のアドレス、オペレータが押下した入力ボタン９０２などの情報を記憶する。
【００２０】
情報入力部２１０（グループ情報入力部、付加情報記憶部、個別情報受信部、設定要求入力部、グループ情報記憶部）は、例えば、電気機器に対するオペレータ指定のグループ番号を入力ボタン９０２から入力しリモートコントローラ記憶機器２９０に記憶する。
情報出力部２２０（個別情報要求送信部、動作要求送信部、設定要求送信部）は、例えば、１台の電気機器に他の電気機器と異なる動作をさせる動作要求を通信機９１５を用いて機器コントローラ１００に送信する。また例えば、情報出力部２２０はリモートコントローラ記憶機器２９０に記憶されたグループ番号を取得し電気機器に対してグループ番号を設定させる設定要求を通信機９１５を用いて機器コントローラ１００に送信する。
個別情報選択部２３０はリモートコントローラ記憶機器２９０に記憶された複数のアドレスから１つのアドレスを選択し取得する。
【００２１】
以下において、実施の形態１における機器管理システム１０１の機器管理処理（Ｓ１０１〜Ｓ１０４）のうち、個別情報取得処理・機器報知処理（Ｓ１０１）〜付加情報設定処理（Ｓ１０３）について３つの実施例を示す。
機器制御処理（Ｓ１０４）の実施例は、特定のグループに属する照明器具３００に対して明るさを変更することなどである。
【００２２】
＜実施例１＞
機器コントローラ１００が照明器具３００の明るさを変更して照明器具３００を１台ずつ報知し（Ｓ１０１）、リモートコントローラ２００がグループ“Ｇ１”に「設定する」ことを示すオペレータ指定を各照明器具３００の１台ずつに対して入力し（Ｓ１０２）、機器コントローラ１００が当該各照明器具３００にグループ番号“Ｇ１”を設定（Ｓ１０３）する実施例１について以下に説明する。
【００２３】
図６は、実施例１における機器管理処理（Ｓ１０１〜Ｓ１０３［図２参照］）の詳細を示すフローチャートである。
機器コントローラ１００とリモートコントローラ２００は図６に基づいて以下に説明する各処理（Ｓ２０１〜Ｓ２１５）をＣＰＵ９１１を用いて実行する。
【００２４】
「付加情報入力処理１（Ｓ１０２）」
＜Ｓ２０１：グループ情報入力処理＞
オペレータはリモートコントローラ２００の入力ボタン９０２を押下してグループ番号を指定する。
リモートコントローラ２００の情報入力部２１０はオペレータ指定のグループ番号を入力ボタン９０２から入力しリモートコントローラ記憶機器２９０に記憶する。
【００２５】
「個別情報取得処理・機器報知処理（Ｓ１０１）」
＜Ｓ２０２：個別情報要求送信処理＞
リモートコントローラ２００の情報出力部２２０は各照明器具３００のアドレスを要求するアドレス要求を生成し通信機９１５を用いて機器コントローラ１００に送信する。
＜Ｓ２０３：個別情報送信処理＞
機器コントローラ１００の個別情報取得部１１０は、通信機９１５を用いてリモートコントローラ２００からアドレス要求を受信した際に、機器コントローラ記憶機器１９０から各照明器具３００のアドレスを取得する。そして、個別情報取得部１１０は各照明器具３００のアドレスを通信機９１５を用いてリモートコントローラ２００に送信する。
＜Ｓ２０４：個別情報受信処理＞
リモートコントローラ２００の情報入力部２１０は各照明器具３００のアドレスを通信機９１５を用いて機器コントローラ１００から受信し、リモートコントローラ記憶機器２９０に記憶する。
＜Ｓ２０５：個別情報有無判定処理＞
リモートコントローラ２００の個別情報選択部２３０は全照明器具３００のアドレスをＳ２０６で選択済みか判定する。未選択のアドレスが“有る”場合はＳ２０６に処理を移し、全アドレスを選択済みで未選択のアドレスが“無い”場合はＳ２１３に処理を移す。＜Ｓ２０６：個別情報選択処理＞
リモートコントローラ２００の個別情報選択部２３０はリモートコントローラ記憶機器２９０に記憶された各照明器具３００の順にならんだアドレスから未選択のアドレスと前回選択したアドレスを１つずつ選択し情報出力部２２０に出力する。
＜Ｓ２０７：動作要求送信処理＞
リモートコントローラ２００の情報出力部２２０は個別情報選択部２３０が選択した１組のアドレスを通信機９１５を用いて機器コントローラ１００に送信する。
＜Ｓ２０８：個別情報取得処理＞
機器コントローラ１００の機器操作部１２０は１組のアドレスを通信機９１５を用いてリモートコントローラ２００から受信する。
＜Ｓ２０９：機器報知処理＞
機器コントローラ１００の機器操作部１２０は１組のアドレスに対し明るさの変更を指示する信号を生成し、受信したアドレスで識別される照明器具３００に、未選択のアドレスに対しては１００％点灯、前回選択したアドレスに対しては下限点灯する指示内容で、生成した信号を通信機９１５を用いて送信する。
信号を受信した当該アドレスで識別される照明器具３００は放電灯の明るさを変更し、オペレータは他の照明器具３００と異なる明るさで点灯する照明器具３００を認識する。
【００２６】
「付加情報入力処理２（Ｓ１０２）」
＜Ｓ２１０：グループ設定入力処理＞
オペレータは認識した照明器具３００にＳ２０１で指定したグループ番号を設定するか否かについてリモートコントローラ２００の入力ボタン９０２を押下して操作内容を指定する。
リモートコントローラ２００の情報入力部２１０はオペレータ指定の操作内容を入力ボタン９０２から入力する。
＜Ｓ２１１：設定要否判定処理＞
リモートコントローラ２００の情報入力部２１０はオペレータ指定の操作内容を判定する。操作内容が“選択”の場合はＳ２０５に処理を移し、“決定”の場合はＳ２１２に処理を移し、“送信”の場合はＳ２１３に処理を移す。
＜Ｓ２１２：グループ機器対応処理＞
Ｓ２１１での操作内容が“決定”である場合、リモートコントローラ２００の情報入力部２１０は、Ｓ２０１で入力したグループ番号とＳ２０６で個別情報選択部２３０が選択したアドレスとを対応付けてリモートコントローラ記憶機器２９０に記憶する。そして、リモートコントローラ２００はＳ２１０に処理を移す。
＜Ｓ２１３：グループ設定送信処理＞
Ｓ２１１での操作内容が“送信”である場合、リモートコントローラ２００の情報出力部２２０は、Ｓ２０１で情報入力部２１０が入力したグループ番号とそのグループ番号に対応付けられたアドレスとをリモートコントローラ記憶機器２９０から取得し通信機９１５を用いて機器コントローラ１００に送信する。
＜Ｓ２１４：付加情報入力処理＞
機器コントローラ１００の付加情報設定部１３０は、グループ番号とそのグループ番号に対応付けられたアドレスとを通信機９１５を用いてリモートコントローラ２００から受信する。
【００２７】
「付加情報設定処理（Ｓ１０３）」
＜Ｓ２１５：付加情報設定処理＞
機器コントローラ１００の付加情報設定部１３０は受信したグループ番号とアドレスとを対応付けて機器コントローラ記憶機器１９０に記憶する。
【００２８】
図７は、実施例１における照明器具３００の点灯とリモートコントローラ２００の入力との関係を示すフローチャートである。
図７において、（１）〜（７）はそれぞれ２０台の照明器具３００が設置された同じ場所を示し、異なる時間における照明器具３００の点灯状態を示す。
図７に示すように、オペレータは左側の１０台をグループ“Ｇ１”、右上の４台をグループＧ２、右下の６台をグループ“Ｇ３”に設定したい。図７では、このうちのグループ“Ｇ１”の設定について示す。
また、図７において、長方形の枠線で示した照明器具３００は未選択時の明るさで点灯していることを示し、例えば、調光率２５％の明るさで点灯している。長方形の塗りつぶしで示した照明器具３００は選択時の明るさで点灯していることを示し、例えば、調光率１００％の明るさで点灯していることを示す。
Ｓ２０６〜Ｓ２１５の具体例について図７に基づいて以下に説明する。
【００２９】
（１）リモートコントローラ２００の個別情報選択部２３０が選択したアドレスがグループ“Ｇ１”に設定したい照明器具３００ａのアドレスであったとする（Ｓ２０６）。このとき、機器コントローラ１００の機器操作部１２０は照明器具３００ａを調光率１００％で点灯させ（Ｓ２０９）、リモートコントローラ２００は「決定ボタン」を押下され（Ｓ２１０）、情報入力部２１０はグループ番号“Ｇ１”に照明器具３００ａのアドレスを対応付けて記憶する（Ｓ２１２）。
（２）リモートコントローラ２００は「選択ボタン」を押下され（Ｓ２１０）、個別情報選択部２３０が選択したアドレスがグループ“Ｇ１”に設定したくない照明器具３００ｂのアドレスであったとする（Ｓ２０６）。このとき、機器コントローラ１００の機器操作部１２０は照明器具３００ｂを調光率１００％で点灯させ（Ｓ２０９）、リモートコントローラ２００は「選択ボタン」を押下される（Ｓ２１０）。
（３）リモートコントローラ２００の個別情報選択部２３０が選択したアドレスがグループ“Ｇ１”に設定したい照明器具３００ｃのアドレスであったとする（Ｓ２０６）。このとき、機器コントローラ１００の機器操作部１２０は照明器具３００ｃを調光率１００％で点灯させ（Ｓ２０９）、照明器具３００ｂを調光率２５％で点灯させる。リモートコントローラ２００は「決定ボタン」を押下され（Ｓ２１０）、情報入力部２１０はグループ番号“Ｇ１”に照明器具３００ｃのアドレスを対応付けて記憶する（Ｓ２１２）。
（４）リモートコントローラ２００は「選択ボタン」を押下され（Ｓ２１０）、個別情報選択部２３０が選択したアドレスがグループ“Ｇ１”に設定したい照明器具３００ｄのアドレスであったとする（Ｓ２０６）。このとき、機器コントローラ１００の機器操作部１２０は照明器具３００ｄを調光率１００％で点灯させ（Ｓ２０９）、リモートコントローラ２００は「決定ボタン」を押下され（Ｓ２１０）、情報入力部２１０はグループ番号“Ｇ１”に照明器具３００ｄのアドレスを対応付けて記憶する（Ｓ２１２）。
（５）リモートコントローラ２００は「選択ボタン」を押下され（Ｓ２１０）、個別情報選択部２３０が選択したアドレスがグループ“Ｇ１”に設定したくない照明器具３００ｅのアドレスであったとする（Ｓ２０６）。このとき、機器コントローラ１００の機器操作部１２０は照明器具３００ｅを調光率１００％で点灯させ（Ｓ２０９）、リモートコントローラ２００は「選択ボタン」を押下される（Ｓ２１０）。
（６）個別情報選択部２３０が選択したアドレスがグループ“Ｇ１”に設定したくない照明器具３００ｆのアドレスであったとする（Ｓ２０６）。このとき、機器コントローラ１００の機器操作部１２０は照明器具３００ｆを調光率１００％で点灯させ（Ｓ２０９）、照明器具３００ｅを調光率２５％で点灯させる。リモートコントローラ２００は「選択ボタン」を押下される（Ｓ２１０）。
（７）（１）〜（６）と同様に処理を繰り返し、グループ“Ｇ１”に「設定したい」全照明器具３００について、アドレスを選択し（Ｓ２０６）、調光率１００％で点灯させ（Ｓ２０９）、設定したくない照明器具を調光率２５％で点灯させる。グループ番号“Ｇ１”に対応付けてアドレスを記憶したとする（Ｓ２１２）。このとき、リモートコントローラ２００は「送信ボタン」を押下され（Ｓ２１０）、情報出力部２２０はグループ番号“Ｇ１”とグループ“Ｇ１”の全照明器具３００のアドレスとを機器コントローラ１００に送信し（Ｓ２１３）、機器コントローラ１００の付加情報設定部１３０はグループ番号“Ｇ１”に対応付けてグループ“Ｇ１”の全照明器具３００のアドレスを記憶する。
【００３０】
上記具体例において、選択中を１００％（点灯）、非選択中を消灯（調光率０％）としてもよく、調光率の選定方法は任意である。
【００３１】
＜実施例２＞
機器コントローラ１００が照明器具３００の明るさを変更して照明器具３００を１台ずつ報知し（Ｓ１０１）、リモートコントローラ２００がグループ“Ｇ１”に「設定しない」ことを示すオペレータ指定を各照明器具３００の１台ずつに対して入力し（Ｓ１０２）、機器コントローラ１００が当該各照明器具３００にグループ番号“Ｇ１”を設定（Ｓ１０３）する実施例２について以下に説明する。
【００３２】
図８は、実施例２における機器管理処理（Ｓ１０１〜Ｓ１０３）を示すフローチャートである。
図８において実施例２のＳ３０１〜Ｓ３１５はそれぞれ実施例１（図６）のＳ２０１〜Ｓ２１５に対応し、Ｓ３０４、Ｓ３１１、Ｓ３１２が実施例１（Ｓ２０４、Ｓ２１１、Ｓ２１２）と異なる。その他の処理は実施例１と同様である。
実施例１と異なる実施例２の処理（Ｓ３０４、Ｓ３１１、Ｓ３１２）について以下に説明する。
【００３３】
＜Ｓ３０４：個別情報受信処理＞
リモートコントローラ２００の情報入力部２１０は、各照明器具３００のアドレスを通信機９１５を用いて機器コントローラ１００から受信し、Ｓ２１０で入力したグループ番号に対応付けてリモートコントローラ記憶機器２９０に記憶する。
＜Ｓ３１１：設定要否判定処理＞
リモートコントローラ２００の情報入力部２１０は、オペレータ指定の操作内容を判定する。操作内容が“選択”の場合はＳ３０５に処理を移し、“削除決定”の場合はＳ３１２に処理を移し、“送信”の場合はＳ３１３に処理を移す。
＜Ｓ３１２：グループ機器対応処理＞
Ｓ３１１での操作内容が“削除決定”である場合、リモートコントローラ２００の情報入力部２１０は、Ｓ３０６で個別情報選択部２３０が選択したアドレスをＳ３０４でグループ番号に対応付けて記憶したリモートコントローラ記憶機器２９０から削除する。そして、リモートコントローラ２００はＳ３１０に処理を移す。
【００３４】
図９は、実施例２における照明器具３００の点灯とリモートコントローラ２００の入力との関係を示すフローチャートである。
実施例１（図７）と同様に、Ｓ３０６〜Ｓ３１５の具体例（実施例２）について図９に基づいて以下に説明する。
ここで、Ｓ３０４において、グループ“Ｇ１”に設定したい各照明器具３００のアドレスとグループ“Ｇ２”に設定したい各照明器具３００のアドレスとグループ“Ｇ３”に設定したい各照明器具３００のアドレスとの全照明器具３００のアドレスが各グループ番号に対応付けられてリモートコントローラ記憶機器２９０に記憶されている。
【００３５】
（１）リモートコントローラ２００の個別情報選択部２３０が選択したアドレスがグループ“Ｇ１”に設定したい照明器具３００ａのアドレスであったとする（Ｓ３０６）。このとき、機器コントローラ１００の機器操作部１２０は照明器具３００ａを調光率１００％で点灯させ（Ｓ３０９）、前回選択した照明器具（初めであれば最後尾に記憶されているアドレスの照明器具）を２５％で点灯させる。リモートコントローラ２００は「選択ボタン」を押下される（Ｓ３１０）。
（２）個別情報選択部２３０が選択したアドレスがグループ“Ｇ１”に設定したくない照明器具３００ｂのアドレスであったとする（Ｓ３０６）。このとき、機器コントローラ１００の機器操作部１２０は照明器具３００ｂを調光率１００％で点灯させ（Ｓ３０９）、リモートコントローラ２００は「削除決定ボタン」を押下され（Ｓ３１０）、情報入力部２１０はグループ番号“Ｇ１”に対応付けて記憶された照明器具３００ｂのアドレスを削除する（Ｓ３１２）。
（３）リモートコントローラ２００は「選択ボタン」を押下され（Ｓ３１０）、個別情報選択部２３０が選択したアドレスがグループ“Ｇ１”に設定したい照明器具３００ｃのアドレスであったとする（Ｓ３０６）。このとき、機器コントローラ１００の機器操作部１２０は照明器具３００ｃを調光率１００％で点灯させ（Ｓ３０９）、リモートコントローラ２００は「選択ボタン」を押下される（Ｓ３１０）。
（４）リモートコントローラ２００の個別情報選択部２３０が選択したアドレスがグループ“Ｇ１”に設定したい照明器具３００ｄのアドレスであったとする（Ｓ３０６）。このとき、機器コントローラ１００の機器操作部１２０は照明器具３００ｄを調光率１００％で点灯させ（Ｓ３０９）、前回選択した照明器具３００ｃを２５％で点灯させる。リモートコントローラ２００は「選択ボタン」を押下される（Ｓ３１０）。
（５）リモートコントローラ２００の個別情報選択部２３０が選択したアドレスがグループ“Ｇ１”に設定したくない照明器具３００ｅのアドレスであったとする（Ｓ３０６）。このとき、機器コントローラ１００の機器操作部１２０は照明器具３００ｅを調光率１００％で点灯させ（Ｓ３０９）、前回選択した照明器具３００ｄを２５％で点灯させる。リモートコントローラ２００は「削除決定ボタン」を押下され（Ｓ３１０）、情報入力部２１０はグループ番号“Ｇ１”に対応付けて記憶された照明器具３００ｅのアドレスを削除する（Ｓ３１２）。
（６）リモートコントローラ２００は「選択ボタン」を押下され（Ｓ３１０）、個別情報選択部２３０が選択したアドレスがグループ“Ｇ１”に設定したくない照明器具３００ｆのアドレスであったとする（Ｓ３０６）。このとき、機器コントローラ１００の機器操作部１２０は照明器具３００ｆを調光率１００％で点灯させ（Ｓ３０９）、リモートコントローラ２００は「削除決定ボタン」を押下され（Ｓ３１０）、情報入力部２１０はグループ番号“Ｇ１”に対応付けて記憶された照明器具３００ｆのアドレスを削除する（Ｓ３１２）。
（７）（１）〜（６）と同様に処理を繰り返し、グループ“Ｇ１”に「設定したくない」全照明器具３００について、アドレスを選択し（Ｓ３０６）、調光率１００％で点灯させ（Ｓ３０９）、選択したい全照明器具３００を調光率２５％で点灯させる。グループ番号“Ｇ１”に対応付けて記憶されたアドレスを削除したとする（Ｓ３１２）。このとき、リモートコントローラ２００は「送信ボタン」を押下され（Ｓ３１０）、情報出力部２２０はグループ番号“Ｇ１”とグループ“Ｇ１”の全照明器具３００のアドレスとを機器コントローラ１００に送信し（Ｓ２１３）、機器コントローラ１００の付加情報設定部１３０はグループ番号“Ｇ１”に対応付けてグループ“Ｇ１”の全照明器具３００のアドレスを記憶する。
【００３６】
上記（１）〜（７）により、機器コントローラ１００は図９における左側の１０台の照明器具３００をグループ“Ｇ１”に設定することができる。
【００３７】
上記具体例において、選択中を１００％（点灯）、非選択中を消灯（調光率０％）としてもよく、調光率の選定方法は任意である。
【００３８】
＜実施例３＞
機器コントローラ１００が照明器具３００の明るさを変更して照明器具３００を１台ずつ報知し（Ｓ１０１）、リモートコントローラ２００がオペレータ指定の“グループ番号”を各照明器具３００の１台ずつに対して入力し（Ｓ１０２）、機器コントローラ１００が各照明器具３００にそれぞれのグループ番号を設定（Ｓ１０３）する実施例３について以下に説明する。
【００３９】
図１０は、実施例３における機器管理処理（Ｓ１０１〜Ｓ１０３）を示すフローチャートである。
機器コントローラ１００とリモートコントローラ２００は図１０に基づいて以下に説明する各処理（Ｓ４０１〜Ｓ４０９）をＣＰＵ９１１を用いて実行する。
【００４０】
「個別情報取得処理・機器報知処理（Ｓ１０１）」
＜Ｓ４０１：動作要求送信処理１＞
オペレータはリモートコントローラ２００の入力ボタン９０２を押下して機器管理処理の開始を指定する。
リモートコントローラ２００において、情報入力部２１０が機器管理処理の開始を示すオペレータ指定を入力ボタン９０２から入力した際に、情報出力部２２０は照明器具３００の明るさの変更を要求する動作要求を生成し通信機９１５を用いて機器コントローラ１００に送信する。
＜Ｓ４０２：個別情報取得処理１＞
機器コントローラ１００の個別情報取得部１１０は、通信機９１５を用いてリモートコントローラ２００から動作要求を受信した際に、機器コントローラ記憶機器１９０から各照明器具３００のアドレスを取得する。
＜Ｓ４０３：個別情報有無判定処理＞
機器コントローラ１００の個別情報取得部１１０は全照明器具３００のアドレスをＳ４０４で選択済みか判定する。未選択のアドレスが“有る”場合はＳ４０４に処理を移し、全アドレスを選択済みで未選択のアドレスが“無い”場合は機器管理処理を終了する。
＜Ｓ４０４：個別情報取得処理２＞
機器コントローラ１００の個別情報取得部１１０はＳ４０２で取得した各照明器具３００のアドレスから未選択のアドレスを１つ選択し機器操作部１２０に出力する。
＜Ｓ４０５：機器報知処理＞
機器コントローラ１００の機器操作部１２０は、明るさの変更を指示する信号を生成し、Ｓ４０４で個別情報取得部１１０が選択したアドレスで識別される照明器具３００に生成した信号を通信機９１５を用いて送信する。
信号を受信した当該アドレスで識別される照明器具３００は放電灯の明るさを変更し、オペレータは他の照明器具３００と異なる明るさで点灯する照明器具３００を認識する。
【００４１】
「付加情報入力処理（Ｓ１０２）」
＜Ｓ４０６：グループ情報入力処理＞
オペレータは認識した照明器具３００に設定するグループ番号をリモートコントローラ２００の入力ボタン９０２を押下して指定する。
リモートコントローラ２００の情報入力部２１０はオペレータ指定のグループ番号を入力ボタン９０２から入力し情報出力部２２０に出力する。
＜Ｓ４０７：グループ設定送信処理＞
リモートコントローラ２００の情報出力部２２０はＳ４０６で情報入力部２１０が入力したグループ番号を通信機９１５を用いて機器コントローラ１００に送信する。
＜Ｓ４０８：付加情報入力処理＞
機器コントローラ１００の付加情報設定部１３０はグループ番号を通信機９１５を用いてリモートコントローラ２００から受信する。
【００４２】
「付加情報設定処理（Ｓ１０３）」
＜Ｓ４０９：付加情報設定処理＞
機器コントローラ１００の付加情報設定部１３０はＳ４０８で受信したグループ番号とＳ４０４で個別情報取得部１１０が選択したアドレスとを対応付けて機器コントローラ記憶機器１９０に記憶する。
＜Ｓ４１０：動作要求送信処理２＞
オペレータはリモートコントローラ２００の入力ボタン９０２を押下して機器管理処理の継続を指定する。
リモートコントローラ２００において、情報入力部２１０が機器管理処理の継続を示すオペレータ指定を入力ボタン９０２から入力した際に、情報出力部２２０は照明器具３００の明るさの変更を要求する動作要求を生成し通信機９１５を用いて機器コントローラ１００に送信する。そして、Ｓ４０３に処理が移る。
【００４３】
図１１は、実施例３における照明器具３００の点灯とリモートコントローラ２００の入力との関係を示すフローチャートである。
図１１において、（１）〜（７）はそれぞれ２０台の照明器具３００が設置された同じ場所を示し、異なる時間における照明器具３００の点灯状態を示す。
図１１に示すように、オペレータは左側の１０台をグループ“Ｇ１”、右上の４台をグループＧ２、右下の６台をグループ“Ｇ３”に設定したい。図１１は、各グループの設定について示す。
実施例１（図７）と同様に、Ｓ４０３〜Ｓ４１０の具体例について、図１１に基づいて以下に説明する。
【００４４】
（１）機器コントローラ１００の個別情報取得部１１０が選択したアドレスがグループ“Ｇ１”に設定したい照明器具３００ａのアドレスであったとする（Ｓ４０４）。このとき、機器コントローラ１００の機器操作部１２０は照明器具３００ａを調光率１００％で点灯させる（Ｓ４０５）。リモートコントローラ２００は「グループボタン“Ｇ１”」を押下され（Ｓ４０６）、情報出力部２２０はグループ番号“Ｇ１”を機器コントローラ１００に送信し（Ｓ４０７）、機器コントローラ１００の付加情報設定部１３０はグループ番号“Ｇ１”と照明器具３００ａのアドレスとを対応付けて記憶する（Ｓ４０９）。
（２）リモートコントローラ２００は「選択ボタン」を押下され（Ｓ４１０）、機器コントローラ１００の個別情報取得部１１０が選択したアドレスがグループ“Ｇ２”に設定したい照明器具３００ｂのアドレスであったとする（Ｓ４０４）。このとき、機器コントローラ１００の機器操作部１２０は照明器具３００ｂを調光率１００％で点灯させる（Ｓ４０５）。リモートコントローラ２００は「グループボタン“Ｇ２”」を押下され（Ｓ４０６）、情報出力部２２０はグループ番号“Ｇ２”を機器コントローラ１００に送信し（Ｓ４０７）、機器コントローラ１００の付加情報設定部１３０はグループ番号“Ｇ２”と照明器具３００ｂのアドレスとを対応付けて記憶する（Ｓ４０９）。
（３）リモートコントローラ２００は「選択ボタン」を押下され（Ｓ４１０）、機器コントローラ１００の個別情報取得部１１０が選択したアドレスがグループ“Ｇ１”に設定したい照明器具３００ｃのアドレスであったとする（Ｓ４０４）。このとき、機器コントローラ１００の機器操作部１２０は照明器具３００ｃを調光率１００％で点灯させる（Ｓ４０５）。リモートコントローラ２００は「グループボタン“Ｇ１”」を押下され（Ｓ４０６）、情報出力部２２０はグループ番号“Ｇ１”を機器コントローラ１００に送信し（Ｓ４０７）、機器コントローラ１００の付加情報設定部１３０はグループ番号“Ｇ１”と照明器具３００ｃのアドレスとを対応付けて記憶する（Ｓ４０９）。
（４）リモートコントローラ２００は「選択ボタン」を押下され（Ｓ４１０）、機器コントローラ１００の個別情報取得部１１０が選択したアドレスがグループ“Ｇ１”に設定したい照明器具３００ｄのアドレスであったとする（Ｓ４０４）。このとき、機器コントローラ１００の機器操作部１２０は照明器具３００ｄを調光率１００％で点灯させる（Ｓ４０５）。リモートコントローラ２００は「グループボタン“Ｇ１”」を押下され（Ｓ４０６）、情報出力部２２０はグループ番号“Ｇ１”を機器コントローラ１００に送信し（Ｓ４０７）、機器コントローラ１００の付加情報設定部１３０はグループ番号“Ｇ１”と照明器具３００ｄのアドレスとを対応付けて記憶する（Ｓ４０９）。
（５）リモートコントローラ２００は「選択ボタン」を押下され（Ｓ４１０）、機器コントローラ１００の個別情報取得部１１０が選択したアドレスがグループ“Ｇ３”に設定したい照明器具３００ｅのアドレスであったとする（Ｓ４０４）。このとき、機器コントローラ１００の機器操作部１２０は照明器具３００ｅを調光率１００％で点灯させる（Ｓ４０５）。リモートコントローラ２００は「グループボタン“Ｇ３”」を押下され（Ｓ４０６）、情報出力部２２０はグループ番号“Ｇ３”を機器コントローラ１００に送信し（Ｓ４０７）、機器コントローラ１００の付加情報設定部１３０はグループ番号“Ｇ３”と照明器具３００ｅのアドレスとを対応付けて記憶する（Ｓ４０９）。
（６）リモートコントローラ２００は「選択ボタン」を押下され（Ｓ４１０）、機器コントローラ１００の個別情報取得部１１０が選択したアドレスがグループ“Ｇ３”に設定したい照明器具３００ｆのアドレスであったとする（Ｓ４０４）。このとき、機器コントローラ１００の機器操作部１２０は照明器具３００ｆを調光率１００％で点灯させる（Ｓ４０５）。リモートコントローラ２００は「グループボタン“Ｇ３”」を押下され（Ｓ４０６）、情報出力部２２０はグループ番号“Ｇ３”を機器コントローラ１００に送信し（Ｓ４０７）、機器コントローラ１００の付加情報設定部１３０はグループ番号“Ｇ３”と照明器具３００ｆのアドレスとを対応付けて記憶する（Ｓ４０９）。
（７）（１）〜（６）と同様に処理を繰り返し、全照明器具３００について、アドレスを選択し（Ｓ４０４）、調光率１００％で点灯させ（Ｓ４０５）、グループ番号とアドレスとを対応付けて記憶する（Ｓ４０９）。
【００４５】
上記（１）〜（７）により、機器コントローラ１００は、図１１において、左側の１０台の照明器具３００をグループ“Ｇ１”に設定し、右上の４台の照明器具３００をグループ“Ｇ２”に設定し、右下の６台の照明器具３００をグループ“Ｇ３”に設定することができる。
【００４６】
上記実施例３では、制御回路、照明器具３００、照度センサ４１０、人感センサ４００、スイッチ（壁スイッチ４２０）のすべて、または、制御回路、照明器具３００を含む一部分から構成され、照明器具３００を自動点滅、調光する制御システム（機器管理システム１０１）の形態について説明した。
例えば、ランダムに明暗された照明器具３００に対してグループ番号をその都度割り当てることによって、オペレータが容易にグループの設定を行うことができることを特徴とする照明制御装置（機器コントローラ１００、機器管理システム１０１）について説明した。
【００４７】
上記具体例において、選択中を１００％（点灯）、非選択中を消灯（調光率０％）としてもよく、調光率の選定方法は任意である。
【００４８】
上記実施例１〜実施例３では、機器コントローラ１００は照明の明るさを変更することで設定対象とする照明器具３００をオペレータに報知したが、その他の方法で報知しても構わない。例えば、機器コントローラ１００は照明を点滅させて報知しても構わない。
【００４９】
つまり、実施例１〜実施例３では、例えば、制御回路、照明器具３００、照度センサ４１０、人感センサ４００、スイッチ（壁スイッチ４２０）のすべて、または、制御回路、照明器具３００を含む一部分から構成され、照明器具３００を自動点滅、調光する以下の制御システム（機器管理システム１０１）についても説明した。
例えば、グループに割り当てたい照明器具３００の点滅を確認することによって、オペレータが容易にグループの設定を行うことができることを特徴とする照明制御装置（機器コントローラ１００、機器管理システム１０１）について説明した。
例えば、グループに割り当てたくない照明器具３００の点滅を確認することによって、オペレータが容易にグループの設定を行うことができることを特徴とする照明制御装置（機器コントローラ１００、機器管理システム１０１）について説明した。
例えば、ランダムにＯＮ／ＯＦＦされた照明器具３００に対してグループ番号をその都度割り当てることによって、オペレータが容易にグループの設定を行うことができることを特徴とする照明制御装置（機器コントローラ１００、機器管理システム１０１）について説明した。
【００５０】
＜実施例４＞
また、上記実施例１〜実施例３では、機器コントローラ１００は照明器具３００にグループ番号を設定したが、照明器具３００以外の電気機器にグループ番号を設定しても構わない。例えば、人感センサ４００や照度センサ４１０にグループ番号を設定しても構わない。
【００５１】
図１２は、実施例４における照度センサ４１０のＬＥＤランプの点灯とリモートコントローラ２００の入力との関係を示すフローチャートである。
図１２において、（１）〜（３）はそれぞれ３台の照度センサ４１０が設置された同じ場所を示し、異なる時間における照度センサ４１０のＬＥＤランプの点灯状態を示す。
また、図１２において、円形の枠線で示した照度センサ４１０はＬＥＤランプが消灯していることを示し、円形の塗りつぶしで示した照度センサ４１０はＬＥＤランプが点灯していることを示す。
上記実施例１と同様にして、照度センサ４１０ａをグループ“Ｇ１”に設定する場合について、図１２に基づいて以下に説明する。
【００５２】
（１）リモートコントローラ２００の個別情報選択部２３０が選択したアドレスがグループ“Ｇ１”に設定したくない照度センサ４１０ｂのアドレスであったとする（Ｓ２０６）。このとき、機器コントローラ１００の機器操作部１２０は照度センサ４１０ｂのＬＥＤランプを点灯させ（Ｓ２０９）、リモートコントローラ２００は「選択ボタン」を押下される（Ｓ２１０）。
（２）リモートコントローラ２００の個別情報選択部２３０が選択したアドレスがグループ“Ｇ１”に設定したくない照度センサ４１０ｃのアドレスであったとする（Ｓ２０６）。このとき、機器コントローラ１００の機器操作部１２０は照度センサ４１０ｃのＬＥＤランプを点灯させ（Ｓ２０９）、リモートコントローラ２００は「選択ボタン」を押下される（Ｓ２１０）。
（３）リモートコントローラ２００の個別情報選択部２３０が選択したアドレスがグループ“Ｇ１”に設定したい照度センサ４１０ａのアドレスであったとする（Ｓ２０６）。このとき、機器コントローラ１００の機器操作部１２０は照度センサ４１０ａのＬＥＤランプを点灯させ（Ｓ２０９）、リモートコントローラ２００は「送信ボタン」を押下され（Ｓ２１０）、情報出力部２２０はグループ番号“Ｇ１”と照度センサ４１０ａのアドレスとを機器コントローラ１００に送信する（Ｓ２１３）。そして、機器コントローラ１００の付加情報設定部１３０はグループ番号“Ｇ１”に対応付けて照度センサ４１０ａのアドレスを記憶する（Ｓ２１５）。
【００５３】
上記（１）〜（３）により、機器コントローラ１００は図１２における照度センサ４１０ａをグループ“Ｇ１”に設定することができる。
また、同様にして人感センサ４００にグループを設定してもよい。
【００５４】
上記実施例４では、制御回路、照明器具３００、照度センサ４１０、人感センサ４００、スイッチ（壁スイッチ４２０）のすべて、または、制御回路、照明器具３００を含む一部分から構成され、照明器具３００を自動点滅、調光する制御システム（機器管理システム１０１）の形態について説明した。
例えば、グループに割り当てたい照度センサ４１０の表示ランプの点滅を確認することによって、オペレータが容易にグループの設定を行うことができることを特徴とする照明制御装置（機器コントローラ１００、機器管理システム１０１）について説明した。
また、例えば、グループに割り当てたい人感センサ４００の表示ランプの点滅を確認することによって、オペレータが容易にグループの設定を行うことができることを特徴とする照明制御装置（機器コントローラ１００、機器管理システム１０１）について説明した。
【００５５】
＜実施例５＞
上記実施例１〜実施例４では、機器コントローラ１００は照明器具３００、人感センサ４００、照度センサ４１０にグループ番号を設定したが、その他の電気機器にグループ番号以外の付加情報を設定しても構わない。例えば、照明の明るさを時間の経過に応じて変化させる制御情報（以下、シーン番号［シーン情報］とする）や照明の調光率を上昇または下降させる制御情報（以下、調光情報とする）などの付加情報を壁スイッチ４２０に設定しても構わない。
【００５６】
図１３は、実施例５における機器管理処理（Ｓ１０１〜Ｓ１０３）を示すフローチャートである。
図１４は、実施例５における壁スイッチ４２０の設定画面の遷移図である。
図１５は、実施例５における壁スイッチ４２０のグループスイッチ設定画面とリモートコントローラ２００の入力との関係を示すフローチャートである。
図１６は、実施例５における壁スイッチ４２０のシーンスイッチ設定画面とリモートコントローラ２００の入力との関係を示すフローチャートである。
図１７は、実施例５における壁スイッチ４２０の調光スイッチ設定画面とリモートコントローラ２００の入力との関係を示すフローチャートである。
実施例５の機器管理処理（Ｓ１０１〜Ｓ１０３）について図１３〜図１７に基づいて以下に説明する。
機器コントローラ１００とリモートコントローラ２００は図１３に基づいて以下に説明する各処理（Ｓ５０１〜Ｓ５１５）をＣＰＵ９１１を用いて実行する。
【００５７】
「付加情報入力処理１（Ｓ１０２）」
＜Ｓ５０１：設定種類入力処理＞
オペレータはリモートコントローラ２００の入力ボタン９０２を押下して壁スイッチ４２０に設定する付加情報（グループ番号、シーン番号または調光情報）の種類を指定する。
リモートコントローラ２００の情報入力部２１０は壁スイッチ４２０に設定するオペレータ指定の付加情報の種類を入力ボタン９０２から入力する。
＜Ｓ５０２：設定種類判定処理＞
リモートコントローラ２００の情報入力部２１０はオペレータ指定の付加情報の種類を判定する。付加情報の種類が“グループスイッチ設定”の場合はＳ５０３に処理を移し、“シーンスイッチ設定”の場合はＳ５０４に処理を移し、“調光スイッチ設定”の場合はＳ５０５に処理を移す。
＜Ｓ５０３、Ｓ５０４、Ｓ５０５：設定画面表示処理ａ、ｂ、ｃ＞
付加情報の種類が“グループスイッチ設定”である場合、リモートコントローラ２００の情報出力部２２０は、図１４の上側に示すように、ディスプレイ９０１にグループスイッチ設定画面を表示する（Ｓ５０３）。
付加情報の種類が“シーンスイッチ設定”である場合、リモートコントローラ２００の情報出力部２２０は、図１４の真ん中に示すように、ディスプレイ９０１にシーンスイッチ設定画面を表示する（Ｓ５０４）。
付加情報の種類が“調光スイッチ設定”である場合、リモートコントローラ２００の情報出力部２２０は、図１４の下側に示すように、ディスプレイ９０１に調光スイッチ設定画面を表示する（Ｓ５０５）。
図１４に示すように、リモートコントローラ２００は各画面に対応する入力ボタン９０２が押下されると押下された入力ボタン９０２に対応してディスプレイ９０１に表示する設定画面を切り替える。
“グループスイッチ設定”の初期画面を図１５の画面状態（１）に示し、“シーンスイッチ設定”の初期画面を図１６の画面状態（１）に示し、“調光スイッチ設定”の初期画面を図１７の画面状態（１）に示す。
ただし、画面の状態はこれに限る事はなく、グループスイッチ設定、シーンスイッチ設定、調光スイッチ設定と明確に示してもよい。
【００５８】
「個別情報取得処理・機器報知処理（Ｓ１０１）」
＜Ｓ５０６：設定機器選択処理＞
オペレータはＳ５０１で指定した付加情報を設定したい壁スイッチ４２０を押下する。
複数のチャンネル（ボタン、スイッチ）を有する壁スイッチ４２０は自壁スイッチ４２０のアドレスと押下されたチャンネルの番号とを示す信号を機器コントローラ１００に出力する。
＜Ｓ５０７：個別情報送信処理＞
機器コントローラ１００の個別情報取得部１１０は、Ｓ５０６でオペレータに押下された壁スイッチ４２０から信号を入力し、オペレータに押下された壁スイッチ４２０のアドレスとチャンネル番号とを通信機９１５を用いてリモートコントローラ２００に送信する。
＜Ｓ５０８：個別情報受信処理＞
リモートコントローラ２００の情報入力部２１０は、オペレータに押下された壁スイッチ４２０のアドレスとチャンネル番号とを通信機９１５を用いて機器コントローラ１００から受信する。
＜Ｓ５０９：個別情報表示処理＞
リモートコントローラ２００の情報出力部２２０は、図１５、図１６または図１７の画面状態（２）に示すように、Ｓ５０８で情報入力部２１０が受信した壁スイッチ４２０のアドレスとチャンネル番号とをディスプレイ９０１に表示する。
図１５、図１６および図１７の画面状態（２）において、「Ａｄｄ」がオペレータに押下された壁スイッチ４２０のアドレス、またはアドレスが受信された事を示す。
また、図１５の画面状態（２）における「４」、図１６の画面状態（２）における「１」がオペレータに押下されたチャンネルのチャンネル番号を示す。例えば、「４」は当該壁スイッチ４２０において上から４番目に位置するチャンネル（ボタン、スイッチ）であり、「１」は当該壁スイッチ４２０の一番上に位置するチャンネルである。図１７の画面状態（２）において、リモートコントローラ２００はチャンネル番号に「−」を表示しており、“調光スイッチ設定”ではチャンネル番号が不要であることを示している。“調光スイッチ設定”では、例えば、当該壁スイッチ４２０において上側に位置するチャンネルを調光率を上げるＵＰスイッチ（例えば、２番目）とし、下側に位置するチャンネルを調光率を下げるＤＯＷＮスイッチ（例えば、３番目）とする。
【００５９】
「付加情報入力処理２（Ｓ１０２）」
＜Ｓ５１０：グループ・シーン情報入力処理＞
オペレータはＳ５０１で押下した壁スイッチ４２０に設定するグループ番号またはシーン番号をリモートコントローラ２００の入力ボタン９０２を押下して指定する。
リモートコントローラ２００の情報入力部２１０はオペレータ指定のグループ番号またはシーン番号を入力ボタン９０２から入力しリモートコントローラ記憶機器２９０に記憶する。
壁スイッチ４２０にはチャンネル（ボタン、スイッチ）毎に付加情報を設定できる。
＜Ｓ５１１、Ｓ５１２：設定継続判定入力処理、設定継続判定処理＞
オペレータは壁スイッチ４２０へのグループ番号またはシーン番号の設定を継続するか否かについてリモートコントローラ２００の入力ボタン９０２または壁スイッチ４２０を押下して操作内容を指定する。
入力ボタン９０２が押下された場合、リモートコントローラ２００の情報入力部２１０はオペレータ指定の操作内容を入力ボタン９０２から入力する（Ｓ５１１）。そして、情報入力部２１０はオペレータ指定の操作内容を判定し、操作内容が“送信”の場合はＳ５１３に処理を移し、“グループスイッチ設定”、“シーンスイッチ設定”または“調光スイッチ設定”の場合はＳ５０２に処理を移す（Ｓ５１２）。
また、壁スイッチ４２０が押下された場合、Ｓ５０７に処理が移り、機器コントローラ１００の個別情報取得部１１０は、Ｓ５１１でオペレータに押下された壁スイッチ４２０から信号を入力し、オペレータに押下された壁スイッチ４２０のアドレスとチャンネル番号とを通信機９１５を用いてリモートコントローラ２００に送信する。
＜Ｓ５１３：グループ・シーン情報送信処理＞
リモートコントローラ２００の情報出力部２２０は、リモートコントローラ記憶機器２９０に対応付けて記憶された壁スイッチ４２０のアドレス（およびチャンネル番号）と当該壁スイッチ４２０（およびチャンネル番号）のグループ番号またはシーン番号とを通信機９１５を用いて機器コントローラ１００に送信する。
このとき、情報出力部２２０は図１５、図１６または図１７の画面状態（３）に示すように「送信マーク」をディスプレイ９０１に表示する。
＜Ｓ５１４：付加情報入力処理＞
機器コントローラ１００の付加情報設定部１３０は、壁スイッチ４２０のアドレス（およびチャンネル番号）と当該壁スイッチ４２０（およびチャンネル番号）のグループ番号またはシーン番号とを通信機９１５を用いてリモートコントローラ２００から受信する。
【００６０】
「付加情報設定処理（Ｓ１０３）」
＜Ｓ５１５：付加情報設定処理＞
機器コントローラ１００の付加情報設定部１３０は、受信した壁スイッチ４２０のアドレス（およびチャンネル番号）と当該壁スイッチ４２０（およびチャンネル番号）のグループ番号またはシーン番号とを対応付けて機器コントローラ記憶機器１９０に記憶する。
【００６１】
上記実施例５では、制御回路、照明器具３００、照度センサ４１０、人感センサ４００、スイッチ（壁スイッチ４２０）のすべて、または、制御回路、照明器具３００を含む一部分から構成され、照明器具３００を自動点滅、調光する制御システム（機器管理システム１０１）の形態について説明した。
例えば、グループに割り当てたい壁スイッチ４２０の種類（例えば、調光スイッチ）とグループまたはシーンを、同時に設定することができることを特徴とする照明制御装置（機器コントローラ１００、機器管理システム１０１）について説明した。
【００６２】
上記実施の形態１では、リモートコントローラ２００が機器コントローラ１００を介して各電気機器との通信を行った。但し、リモートコントローラ２００が、機器コントローラ１００を介さずに、直接、各電気機器との通信を行ってもよい。
例えば、実施例１のＳ２０２〜Ｓ２０４と実施例２のＳ３０２〜Ｓ３０４とにおいて、リモートコントローラ２００が照明器具３００にアドレスを要求し、リモートコントローラ２００が照明器具３００からアドレスを受信してもよい。また例えば、実施例１のＳ２０７〜Ｓ２０９と実施例２のＳ３０７〜Ｓ３０９において、リモートコントローラ２００が選択したアドレスで識別される照明器具３００に信号を送信して照明器具３００の明るさを変更してもよい。また、例えば、実施例３のＳ４０１〜Ｓ４０５において、リモートコントローラ２００がアドレスを選択し、選択したアドレスで識別される照明器具３００に信号を送信して照明器具３００の明るさを変更してもよい。
【００６３】
また、実施例５のＳ５０６〜Ｓ５０９では、リモートコントローラ２００は壁スイッチ４２０が出力したアドレスとチャンネルとを取得したが、壁スイッチ４２０がチャンネルを出力せずにリモートコントローラ２００がチャンネルを設定してもよい。また、リモートコントローラ２００は壁スイッチ４２０が出力したアドレスを機器コントローラ１００を介さずに直接壁スイッチ４２０から取得してもよい。
【００６４】
また、実施例５では、リモートコントローラ２００はグループボタンとシーンボタンと調光ボタンとを有する場合の例について説明したが、リモートコントローラ２００は調光ボタンを有さなくてもよい。調光ボタンを有さない場合、リモートコントローラ２００は図１４で示した設定画面の遷移方法に対して、例えば、以下のように画面を遷移させてもよい。リモートコントローラ２００はグループスイッチ設定画面を表示中にグループボタンを押下された場合に調光スイッチ設定画面に画面を切り替え、調光スイッチ設定画面を表示中にグループボタンを押下された場合にグループスイッチ設定画面に画面を切り替え、シーンスイッチ設定画面を表示中にグループボタンを押下された場合にグループスイッチ設定画面に画面を切り替える。
【００６５】
上記実施の形態１では、例えば、任意に配置された電気機器（照明器具３００、人感センサ４００、照度センサ４１０、壁スイッチ４２０など）に対してオペレータ指定の付加情報（グループ番号など）を設定する機器コントローラ１００（機器管理装置（の機器管理方法について説明した。
例えば、この機器管理方法では、個別情報取得部１１０が電気機器を個別に識別する個別情報（ＭＡＣアドレスなど）を複数記憶する機器コントローラ記憶機器１９０から１つの個別情報を取得する個別情報取得処理を行う。
また、機器操作部１２０（機器報知部）が前記個別情報取得部１１０が取得した個別情報Ａで識別される電気機器Ａに他の電気機器と異なる動作をさせることにより電気機器Ａをオペレータに報知する機器報知処理を行う。
また、個別情報取得部１１０（付加情報入力部）が前記機器操作部１２０が報知した電気機器Ａに対するオペレータ指定の付加情報を通信機９１５（入力機器）から入力する付加情報入力処理を行う。
また、付加情報設定部１３０が前記個別情報取得部１１０が入力した付加情報Ａを個別情報Ａに対応付けて機器コントローラ記憶機器１９０に記憶することで電気機器Ａに対して付加情報Ａを設定する付加情報設定処理を行う。
【００６６】
上記実施の形態１で説明した機器コントローラ１００やリモートコントローラ２００の各処理はプログラムとして記憶機器に記憶されＣＰＵ９１１が実行する。
上記実施の形態１では、例えば、上記機器管理方法をコンピュータに実行させることを特徴とする機器管理プログラムについて説明した。
【００６７】
実施の形態２．
上記実施の形態１では１台の機器コントローラ１００とリモートコントローラ２００とにより電気機器を管理する形態について説明した。
実施の形態２では複数台の機器コントローラ１００および複数台のリモートコントローラ２００と通信する制御管理装置５００を有し、制御管理装置５００が各機器コントローラ１００を制御して各機器コントローラ１００に接続する各電気機器を管理する形態について説明する。つまり、実施の形態２では複数の機器管理システム１０１を制御する制御システム１０２について説明する。
上記実施の形態１と異なる事項を中心に説明し、説明を省略した事項については上記実施の形態１と同様であるものとする。
【００６８】
図１８は、実施の形態２における制御システム１０２のシステム構成図である。
実施の形態２における制御システム１０２は、複数の機器コントローラ１００と各機器コントローラ１００に対するリモートコントローラ２００と通信し、各機器コントローラ１００を制御して各機器コントローラに接続する各電気機器を管理する制御管理装置５００を有する。つまり、実施の形態２における制御システム１０２は複数の機器管理システム１０１を制御する制御管理装置５００を有する。
キーボード、マウス、ディスプレイ９０１などを備えるパーソナルコンピュータは制御管理装置５００の形態の一例である。制御管理装置５００も図３に示すようなハードウェアで実現することができる。
【００６９】
図１９は、実施の形態２における制御管理装置５００の機能構成図である。
実施の形態２における制御管理装置５００は制御管理情報取得部５１０、制御管理操作部５２０、制御管理情報設定部５３０および制御管理記憶機器５９０を備える。
【００７０】
制御管理情報取得部５１０は機器コントローラ１００の個別情報取得部１１０に相当し、個別情報取得部１１０が当該機器コントローラ１００に接続する電気機器のアドレスを取得するのに対して制御管理情報取得部５１０は各機器コントローラ１００に接続する電気機器のアドレスを取得する。
例えば、制御管理情報取得部５１０は通信機器を用いて各機器コントローラ１００と通信し、各機器コントローラ１００から機器コントローラ記憶機器１９０に記憶されている各電気機器のアドレス、グループ番号、制御情報などの情報を取得し、取得した情報を制御管理記憶機器５９０に記憶する。そして、制御管理情報取得部５１０は、制御管理装置５００が有するキーボードやマウスによりオペレータに指定された機器コントローラ１００について、当該機器コントローラ１００に接続する電気機器のアドレスを制御管理記憶機器５９０から取得する。
また、制御管理情報取得部５１０は、リモートコントローラ２００の個別情報選択部２３０に相当し、オペレータ指定の機器コントローラ１００に接続する各電気機器のアドレスから１つのアドレスを選択する。
【００７１】
制御管理操作部５２０は通信部と制御部とを有しており、機器コントローラ１００の機器操作部１２０に相当する。機器操作部１２０が当該機器コントローラ１００に接続する電気機器を動作させるのに対して制御管理操作部５２０は各機器コントローラ１００がそれぞれに接続する電気機器を動作させる。
例えば、制御管理操作部５２０はリモートコントローラ２００からアドレスを受信し、当該リモートコントローラ２００が通信する機器コントローラ１００に対して、リモートコントローラ２００から受信したアドレスと所定の動作とを指定した制御命令信号を送信する。また例えば、制御管理操作部５２０は制御管理装置５００が有するキーボードやマウスによりオペレータに指定された機器コントローラ１００に対して、制御管理情報取得部５１０が選択したアドレスと所定の動作とを指定した制御命令信号を送信する。機器コントローラ１００の機器操作部１２０は制御管理装置５００の制御管理操作部５２０が送信した制御命令信号を受信し、受信した制御命令信号に基づいて指定アドレスで識別される電気機器に所定の動作をさせる。
【００７２】
制御管理情報設定部５３０は、機器コントローラ１００の付加情報設定部１３０に相当し、付加情報設定部１３０が当該機器コントローラ１００に接続する電気機器に対して付加情報を設定するのに対して各機器コントローラ１００に接続する電気機器に対して付加情報を設定する。
例えば、制御管理情報設定部５３０はオペレータ指定のグループ番号・制御情報をリモートコントローラ２００から受信し、当該リモートコントローラ２００が通信する機器コントローラ１００の識別情報とオペレータ指定のグループ番号・制御情報と特定の電気機器のアドレスとを対応付けて制御管理記憶機器５９０に記憶する。また例えば、制御管理情報設定部５３０はオペレータ指定の機器コントローラ１００の識別情報とグループ番号・制御情報とを制御管理装置５００が有するキーボードやマウスなどの入力機器から入力し、オペレータ指定の機器コントローラ１００の識別情報とオペレータ指定のグループ番号・制御情報と特定の電気機器のアドレスとを対応付けて制御管理記憶機器５９０に記憶する。また例えば、制御管理情報設定部５３０は制御管理記憶機器５９０に記憶されているグループ番号・制御情報とアドレスとの対応情報をリモートコントローラ２００に送信する。リモートコントローラ２００の情報入力部２１０は制御管理装置５００の制御管理情報設定部５３０が送信したグループ番号・制御情報とアドレスとの対応情報を受信し、グループ番号・制御情報とアドレスとの対応情報をディスプレイ９０１に表示してオペレータに提供する。
【００７３】
制御管理記憶機器５９０は機器コントローラ１００の機器コントローラ記憶機器１９０やリモートコントローラ２００のリモートコントローラ記憶機器２９０に相当し、制御管理記憶機器５９０は機器コントローラ記憶機器１９０やリモートコントローラ記憶機器２９０が記憶する情報を各機器コントローラ１００の識別情報と対応付けて記憶する。
例えば、制御管理記憶機器５９０は、各電気機器のアドレス、グループ番号、制御情報を当該電気機器が接続する機器コントローラ１００の識別情報と対応付けて記憶する。また例えば、制御管理記憶機器５９０は各リモートコントローラ２００の識別情報と当該リモートコントローラ２００が通信する機器コントローラ１００の識別情報とを対応付けて記憶する。
【００７４】
実施の形態２における制御システム１０２は以下のようにして機器コントローラ１００を複数まとめて制御する。
各機器コントローラ１００には、それぞれ無線データを送受信するアンテナ（図示省略）および無線部（機器操作部１２０）が設けられている。
制御管理装置５００は、複数の機器コントローラ１００と無線データを送受信するためのアンテナ（図示省略）および無線通信する通信部（制御管理操作部５２０）、複数の機器コントローラ１００をまとめて制御・管理するためのプログラムに従って動作する制御部（制御管理操作部５２０）を備える。複数の機器コントローラ１００をまとめて制御・管理するためのプログラムは例えば制御管理記憶機器５９０に記憶されている。
機器コントローラ１００と制御管理装置５００とは無線通信にてデータを送受信し、機器コントローラ１００からは機器コントローラ１００に接続されている各端末（電気機器）の状態や設定情報が制御管理装置５００へと逐次データ送信される。制御管理装置５００からは機器コントローラ１００に対して端末の状態を総合的に判断し、制御データ（制御命令信号）を送信して各端末を制御する。また、本実施の形態では機器設定器（リモートコントローラ２００）も無線データの送受信が可能であり、制御管理装置５００は機器設定器と無線通信できる。機器設定器は、機器コントローラ１００に接続された各端末の制御パラメータなどを制御管理装置５００に対して設定、変更、削除することができ、さらにシステム制御のコマンドを制御管理装置５００に対して発行し制御システム全体を操作することも可能である。また、制御管理装置５００のデータを機器設定器がモニタすることによって、システム全体の状態を機器設定器を用いて把握することができる。
これにより、実施の形態２における制御システム１０２では、制御管理装置５００が機器コントローラ１００を介して各電気機器の情報を一元管理するとともに、一元管理された各電気機器の情報をリモートコントローラ２００に送信することが可能となる。そして、実施の形態２における制御システム１０２を用いることにより、システム全体の把握が容易になり、複数の機器コントローラ１００に接続された電気機器に対して総合的な制御ができるという効果を奏する。
【図面の簡単な説明】
【００７５】
【図１】実施の形態１における機器管理システム１０１のシステム構成図。
【図２】実施の形態１における機器管理システム１０１の機器管理方法を示すフローチャート。
【図３】実施の形態１における機器コントローラ１００、リモートコントローラ２００のハードウェア資源の一例を示す図。
【図４】実施の形態１における機器コントローラ１００の機能構成図。
【図５】実施の形態１におけるリモートコントローラ２００の機能構成図。
【図６】実施例１における機器管理処理（Ｓ１０１〜Ｓ１０３）を示すフローチャート。
【図７】実施例１における照明器具３００の点灯とリモートコントローラ２００の入力との関係を示すフローチャート。
【図８】実施例２における機器管理処理（Ｓ１０１〜Ｓ１０３）を示すフローチャート。
【図９】実施例２における照明器具３００の点灯とリモートコントローラ２００の入力との関係を示すフローチャート。
【図１０】実施例３における機器管理処理（Ｓ１０１〜Ｓ１０３）を示すフローチャート。
【図１１】実施例３における照明器具３００の点灯とリモートコントローラ２００の入力との関係を示すフローチャート。
【図１２】実施例４における照度センサ４１０のＬＥＤランプの点灯とリモートコントローラ２００の入力との関係を示すフローチャート。
【図１３】実施例５における機器管理処理（Ｓ１０１〜Ｓ１０３）を示すフローチャート。
【図１４】実施例５における壁スイッチ４２０の設定画面の遷移図。
【図１５】実施例５における壁スイッチ４２０のグループスイッチ設定画面とリモートコントローラ２００の入力との関係を示すフローチャート。
【図１６】実施例５における壁スイッチ４２０のシーンスイッチ設定画面とリモートコントローラ２００の入力との関係を示すフローチャート。
【図１７】実施例５における壁スイッチ４２０の調光スイッチ設定画面とリモートコントローラ２００の入力との関係を示すフローチャート。
【図１８】実施の形態２における制御システム１０２のシステム構成図。
【図１９】実施の形態２における制御管理装置５００の機能構成図。
【符号の説明】
【００７６】
１００  機器コントローラ、１０１  機器管理システム、１０２  制御システム、１１０  個別情報取得部、１２０  機器操作部、１３０  付加情報設定部、１９０  機器コントローラ記憶機器、２００  リモートコントローラ、２１０  情報入力部、２２０  情報出力部、２３０  個別情報選択部、２９０  リモートコントローラ記憶機器、３００，３００ａ，３００ｂ，３００ｃ，３００ｄ，３００ｅ，３００ｆ  照明器具、４００  人感センサ、４１０，４１０ａ，４１０ｂ，４１０ｃ  照度センサ、４２０  壁スイッチ、５００  制御管理装置、５１０  制御管理情報取得部、５２０  制御管理操作部、５３０  制御管理情報設定部、５９０  制御管理記憶機器、９０１  ディスプレイ、９０２  入力ボタン、９１１  ＣＰＵ、９１２  バス、９１３  ＲＯＭ、９１４  ＲＡＭ、９１５  通信機、９２０  磁気ディスク装置、９２１  ＯＳ、９２３  プログラム群、９２４  ファイル群。
【図１】
2007287682.tif 000003
【図２】
2007287682.tif 000004
【図３】
2007287682.tif 000005
【図４】
2007287682.tif 000006
【図５】
2007287682.tif 000007
【図６】
2007287682.tif 000008
【図７】
2007287682.tif 000009
【図８】
2007287682.tif 000010
【図９】
2007287682.tif 000011
【図１０】
2007287682.tif 000012
【図１１】
2007287682.tif 000013
【図１２】
2007287682.tif 000014
【図１３】
2007287682.tif 000015
【図１４】
2007287682.tif 000016
【図１５】
2007287682.tif 000017
【図１６】
2007287682.tif 000018
【図１７】
2007287682.tif 000019
【図１８】
2007287682.tif 000020
【図１９】
2007287682.tif 000021